(57)【特許請求の範囲】
【請求項１】
片側又は両側がウォブル（蛇行）されて情報信号を記録又は再生するグルーブと、隣り合う前記グルーブ間に位置したランドとによる対がディスク基板上で際内周から最外周に亘って螺旋状又は同心円状に形成され、且つ、前記ディスク基板の半径方向に分割された複数のゾーンの各ゾーン内で前記ウォブルが同位相に形成され、更に、前記グルーブが偶数個のセクタからなる記録ブロック単位（ＥＣＣ単位）で構成され、且つ、各セクタが偶数個の同期フレームにより構成されているのに対応して、前記ランド上には前記グルーブに記録する前記情報信号への補助情報となる複数種のランドプリピットが前記各セクタ内で前記偶数個の同期フレームに対して所定の間隔ごとに予め配置された光ディスクであって、
前記複数種のランドプリピットは、前記偶数個のセクタのうちで前半のセクタと後半のセクタとに分けて前記各セクタの同期信号を表す第１，第２のランドプリピット部と、データ“０”，“１”を表す第３，第４のランドプリピット部とからなり、各ランドプリピット部はそれぞれ３ビットのビット列で表され、且つ、前記各ランドプリピット部の先頭ビットは必ず“１”で表された状態で、一つの前記グルーブに対して一方側の前記ランド上に形成した前記各ランドプリピット部は一つのセクタ中の奇数番目の同期フレームに対応して配置され、且つ、一つの前記グルーブに対して他方側の前記ランド上に形成した前記各ランドプリピット部は前記一つのセクタ中の偶数番目の同期フレームに対応して配置されていることを特徴とする光ディスク。
【請求項２】
片側又は両側がウォブル（蛇行）されて情報信号を記録又は再生するグルーブと、隣り合う前記グルーブ間に位置したランドとによる対がディスク基板上で際内周から最外周に亘って螺旋状又は同心円状に形成され、且つ、前記ディスク基板の半径方向に分割された複数のゾーンの各ゾーン内で前記ウォブルが同位相に形成され、更に、前記グルーブが偶数個のセクタからなる記録ブロック単位（ＥＣＣ単位）で構成され、且つ、各セクタが偶数個の同期フレームにより構成されているのに対応して、前記ランド上には前記グルーブに記録する前記情報信号への補助情報となる複数種のランドプリピットが前記各セクタ内で前記偶数個の同期フレームに対して所定の間隔ごとに予め配置された光ディスクであって、
前記複数種のランドプリピットは、前記偶数個のセクタのうちで奇数番目のセクタと偶数番目のセクタとに分けて前記各セクタの同期信号を表す第１，第２のランドプリピット部と、データ“０”，“１”を表す第３，第４のランドプリピット部とからなり、各ランドプリピット部はそれぞれ３ビットのビット列で表され、且つ、前記各ランドプリピット部の先頭ビットは必ず“１”で表された状態で、一つの前記グルーブに対して一方側の前記ランド上に形成した前記各ランドプリピット部は一つのセクタ中の奇数番目の同期フレームに対応して配置され、且つ、一つの前記グルーブに対して他方側の前記ランド上に形成した前記各ランドプリピット部は前記一つのセクタ中の偶数番目の同期フレームに対応して配置されていることを特徴とする光ディスク。
【請求項３】
請求項１又は請求項２記載の光ディスクを、各ゾーン毎には線速度が略一定に切り換えられ、且つ、各ゾーン内では角速度が一定に制御されて記録再生する光ディスク記録再生方法であって、
前記光ディスクを光ピックアップで再生した再生信号から前記複数種のランドプリピットを検出して複数種のランドプリピット信号を出力するランドプリピット検出ステップと、
前記ランドプリピット検出ステップから出力された前記複数種のランドプリピット信号を復号して前記各セクタの同期情報とアドレス情報とを生成して出力するランドプリピット復号ステップと、
前記ランドプリピット復号ステップから出力された前記各セクタの前記同期情報と前記アドレス情報とに基づいて、前記記録ブロック単位で構成された前記グルーブに前記情報信号を記録する記録条件を設定する制御ステップと、
前記制御ステップで設定された前記記録条件に基づいて、前記情報信号を前記グルーブに記録する記録ステップと、
を有することを特徴とする光ディスクの記録再生方法。
【請求項４】
請求項１又は請求項２記載の光ディスクを、各ゾーン毎には線速度が略一定に切り換えられ、且つ、各ゾーン内では角速度が一定に制御されて記録再生する光ディスク記録再生装置であって、
前記光ディスクを光ピックアップで再生した再生信号から前記複数種のランドプリピットを検出して複数種のランドプリピット信号を出力するランドプリピット検出手段と、
前記ランドプリピット検出手段から出力された前記複数種のランドプリピット信号を復号して前記各セクタの同期情報とアドレス情報とを生成して出力するランドプリピット復号手段と、
前記ランドプリピット復号手段から出力された前記各セクタの前記同期情報と前記アドレス情報とに基づいて、前記記録ブロック単位で構成された前記グルーブに前記情報信号を記録する記録条件を設定する制御手段と、
前記制御手段で設定された前記記録条件に基づいて、前記情報信号を前記グルーブに記録する記録手段と、
を具備したことを特徴とする光ディスクの記録再生装置。
【発明の詳細な説明】
【０００１】
【発明の属する技術分野】
本発明は、片側又は両側をウォブル（蛇行）したグルーブと、隣り合うグルーブ間に位置したランドとを対にしたトラックが、ディスク基板上で最内周から最外周に亘って螺旋状又は同心円状に形成され、且つ、ランド上にはグルーブに記録する情報信号への補助情報がランドプリピットとして予め形成されていると共に、所定数のランドプリピットに対応して情報信号への記録ブロック単位（ＥＣＣブロック）が割り当てられた光ディスク及び光ディスク記録再生方法並びに光ディスク記録再生装置に関するものである。
【０００２】
【従来の技術】
一般的に、ＣＤ（Ｃｏｍｐａｃｔ  Ｄｉｓｃ），ＤＶＤ（Ｄｉｇｉｔａｌ  Ｖｅｒｓａｔｉｌｅ  Ｄｉｓｃ）などの光ディスクは、映像情報とか音声情報やコンピュータデータなどの情報信号を円盤状のディスク基板上で螺旋状又は同心円状に形成したトラックに高密度に記録及び／又は再生でき、しかも所望のトラックを高速にアクセスできることから多用されている。
【０００３】
一方、情報信号をより一層高密度に記録再生できる光ディスク及び光ディスク記録再生装置が要求され、この要求を満たすために各種の改善が行われており、この一例として、光ディスク上でトラックのトラック幅及びトラックピッチなどを狭めて情報信号への高密度化を図る方法が採用されている。これに伴って、狭いトラック幅及び狭いトラックピッチでもアドレス情報の読取りや光ディスクの回転制御を正確に得るために、ウォブル（蛇行）したグルーブ（溝）と、隣り合うグルーブ（溝）間に位置するランドとを対にしたトラックが、ディスク基板上で最内周から最外周に亘って螺旋状又は同心円状に形成され、且つ、ランド上にはグルーブに記録する情報信号への補助情報がランドプリピットとして予め形成された光ディスク及びこの光ディスクを記録再生するための光ディスク記録再生装置が、例えば、特開平９−３２６１３８号公報，特開平１０−２９３９２６号公報などに開示されている。
【０００４】
図１２は従来の光ディスクの一例を説明するための図、
図１３は従来の光ディスクの他例を説明するための図である。
【０００５】
まず、上記した特開平９−３２６１３８号公報に開示された光記録媒体及びその記録再生方法、記録再生装置では、ＣＬＶ（Ｃｏｎｓｔａｎｔ  ＬｉｎｅａｒＶｅｌｏｃｉｔｙ…線速度一定）回転制御方式の光ディスクを用いて情報信号の高密度記録再生を目的としており、図１２に示した如く、光ディスク１００は、単一周波数でウォブルしたグルーブ１０１を有すると共に、隣り合うグルーブ１０１間に位置するランド１０２上には所定間隔でランドプリピット（例えばアドレスピット）１０３が予め記録されている。
【０００６】
また、上記した光ディスク１００を記録再生する記録再生方法及び記録再生装置では、光ディスク１００上の一つのグルーブ１０１とこの両側に隣接するランド１０２，１０２とにビームスポットＢを照射してグルーブ１０１から検出したウォブル信号により光ディスク１００の回転制御を行うと共に、各ランド１０２，１０２上のランドプリピット１０３，１０３から検出したランドプリピット信号により記録信号の光ディスク１００上での位置を検出している。
【０００７】
次に、上記した特開平１０−２９３９２６号公報に開示された記録用クロック信号発生装置では、光ディスクとしてＣＤ−Ｒ（ＣＤ−Ｒｅｃｏｒｄａｂｌｅ）に対して約７倍に記録容量を向上させたＤＶＤ−Ｒ（ＤＶＤ−Ｒｅｃｏｒｄａｂｌｅ）が適用され、ここでも情報信号の高密度記録再生を目的としており、図１３に模式的に示した如く、光ディスク２００は、所定の周波数成分のウォブル信号でウォブルしたグルーブトラック２０１と、隣り合うグルーブトラック２０１間に形成したランドトラック２０２とが不図示のディスク基板上に螺旋状又は同心円状に形成され、且つ、ランドトラック２０２上にウォブル信号に対して所定の位相関係を有するランドプリピット２０３が予め形成されている。また、光ディスク２００はＤＶＤ−Ｒに適用されているために、情報信号を記録するグルーブトラック２０１が予め情報単位としてのシンクフレームごとに分割されている。そして、２６のシンクフレームにより一つのレコーディングセクタが構成され、更に、１６のレコーディングセクタにより一つのＥＣＣ（Ｅｒｒｏｒ  Ｃｏｒｒｅｃｔｉｎｇ  Ｃｏｄｅ）ブロックが構成されている。なお、一つのシンクフレームは、情報信号を記録する際の記録フォーマットにより規定されるピット間隔に対応する単位長さ（以下、Ｔという。）の１４８８倍（１４８８Ｔ）の長さを有しており、更に、一つのシンクフレームの先頭の１４Ｔの長さの部分はシンクフレーム毎の同期をとるための同期情報ＳＹとして用いられている。
【０００８】
一方、光ディスク（ＤＶＤ−Ｒ）２００のランドトラック２０２上に記録されるランドプリピット２０３は、シンクフレーム毎に記録される。この際、夫々のシンクフレームにおける同期情報ＳＹが記録される領域に隣接するランドトラック２０２上に、プリ情報における同期信号を示すものとして必ず一つのランドプリピット２０３が形成されていると共に、当該同期情報ＳＹ以外の当該シンクフレーム内の前半部分に隣接するランドトラック２０２上に、記録すべきプリ情報の内容を示すものとして一つ又は二つのランドプリピット２０３が形成されている（なお、同期情報ＳＹ以外の当該シンクフレーム内の前半部分については、記録すべきプリ情報の内容によってはランドプリピット２０３が形成されない場合もある。）。更に、一つのレコーディングセクタにおいては、偶数番目のシンクフレーム（ＥＶＥＮフレーム）又は奇数番目のシンクフレーム（ＯＤＤフレーム）のいずれか一方のシンクフレームにランドプリピット２０３が形成されてプリ情報が記録すべき情報の内容に対応して設定されている。
【０００９】
そして、上記した記録用クロック信号発生装置では、ウォブルしたグルーブトラック２０１から抽出したウォブル信号の位相を担う信号と、ランドトラック２０２上のランドプリピット２０３から検出したランドプリピット信号との位相を比較して位相差信号を出力し、当該位相差信号に基づいてクロック信号の位相を調整することで、クロストークの影響を無視できないウォブル信号に基づいて生成されるクロック信号の時間軸上の変動を、クロストークの影響を受けないランドプリピット２０３を用いて補正しているので、光ディスク２００の回転に高い精度で同期した記録用クロック信号を生成することが可能となっている。
【００１０】
【発明が解決しようとする課題】
ところで、上記した従来の光ディスク及び従来の光ディスクを適用する光ディスク記録再生装置では、情報信号への高密度化を図る際に、光ディスク１００，２００上に形成したグルーブ１０１，２０１と、ランド１０２，２０２上に形成したランドトプリピット１０３，２０３とにより狭トラック化及び狭トラックピッチ化に対応させているものの、光ディスク１００，２００上に形成したグルーブ１０１，２０１が単一周波数又は所定の周波数でウォブルされているために、両光ディスク１００，２００は共にＣＬＶ（線速度一定）で回転制御されながら情報信号の記録再生を行うため、以下の▲１▼〜▲４▼項に記載した問題点を有しており、これらの問題点について図１４を用いて説明する。
【００１１】
図１４は従来の光ディスクにおいて、（ａ）はウォブルしたグルーブのウォブル位相が逆の位相を持つ箇所を模式的に示し、（ｂ）は一つのグルーブの両側に隣接するランド上に形成したランドプリピット同士が重なり合う箇所を模式的に示した図である。
【００１２】
従来の問題点を項目順に説明すると、
▲１▼．従来の光ディスク１００，２００は共にＣＬＶ（線速度一定）で回転制御されているので、ディスク半径方向に隣り合うグルーブのウォブル位相が逆位相になる箇所が発生し、隣接トラックからのクロストークが大きくなり、信号品質が劣化するために記録に使えない領域が光ディスク面上に複数存在する。また、逆位相になるためにランドプリピット信号が、劣化する等の問題が生じる。
【００１３】
より具体的には、図１４（ａ）に示した如く、ディスク半径方向に隣り合う３本のグルーブ１０１（２０１）のうち、中間のグルーブ１０１（２０１）と図示上方のグールブ１０１（２０１）に形成されているウォブルの位相が、点線で囲んだように反転する場合も起こり得る。このような場合、点線で囲んだ部位では隣り合うグルーブ１０１（２０１）との距離が狭まる部分で記録してある情報信号からのクロストークが大きくなり、信号劣化からデータ誤りを生じたり、記録時に既に記録してある隣接トラックの誤消去などが発生する。
【００１４】
また、図１４（ｂ）に示した如く、ウォブル位相が隣り合うグールブ１０１（２０１）間で徐々にずれていくに従って、一つのグールブ１０１（２０１）の両側に隣接するランド１０２（２０２）上のランドプリピット１０３（２０３）の相対位置も変化し、一つのグールブ１０１（２０１）の両側で点線で囲んだ部位のランドプリピット１０３（２０３）が互いに重なり合う箇所が生じる。このように点線で囲んだ部位ではランドプリピット１０３（２０３）から検出したランドプリピット信号の出力が十分に得られず、ランドプリピット信号の読み取りに影響が出てくる。
【００１５】
このため、上記したように、隣り合うグルーブ１０１（２０１）間で、ウォブル位相が互いに逆になる部分については、ディジタル情報信号の記録を行わないとか、ランドプリピット１０３（２０３）を記録しないなどの対策が必要であった。
【００１６】
▲２▼．また、一つのグールブ１０１（２０１）の両側に隣接するランド１０２（２０２）上のランドプリピット１０３（２０３）が互いに重なる箇所が生じる場合には、この箇所で情報信号の再生ができないために、ランドプリピット１０３（２０３）の位置を変えるなどの処理が必要である。
【００１７】
▲３▼．また、光ディスク１００（２００）の半径方向に大きな距離のデータシークを行う場合、光ディスク回転用のスピンドルモータの回転数がデータ記録あるいは再生可能な範囲に落ち着くまで長時間を要するために、データシークに時間がかかる。
【００１８】
▲４▼．また、特開平１０−２９３９２６号公報に開示された光ディスク（ＤＶＤ−Ｒ）２００では、ランドプリピット２０３で表現すべきアドレスデータとしては、ＥＣＣブロックアドレス、ＥＣＣブロック内でのセクタアドレス（相対セクタアドレス）が含まれる。例えばＤＶＤ−Ｒでは、前述したように一つのＥＣＣブロックが１６のレコーディングセクタで構成されている。つまり、１６のレコーディングセクタのデータに対してＥＣＣ（エラー訂正コード）処理が施され、ディスク表面の傷、ゴミなどによって発生するバーストエラーに対して訂正ができるようにされている。ここでは、光ディスク２００上で適宜な長さに亘って連続して発生するエラーをバーストエラーと呼称している。
【００１９】
ところで、光ディスク２００は、透明なディスク基板を通して情報信号と対応する微少な記録マークを読み出す仕組みとなっているが、この透明なディスク基板は、ディスク表面の傷やゴミから記録マークを保護すると同時に、光ディスク表面の傷やゴミをビームスポットの焦点からずらすことによってその影響を少なくさせる効果がある。
【００２０】
この際、ディスク基板の厚みが厚いほど上記効果は大きいが、逆に光学的な収差の量も大きくなり、情報信号の記録再生性能は落ちる。例えば、光ディスクの傾きに対する許容度はディスク基板の厚みの３乗に反比例して減少する。従って、さらなる記録密度の向上のためには情報信号読取り側に位置するディスク基板の厚みを薄くする必要が生じる。しかしながら、情報信号読取り側に位置するディスク基板の厚みを薄くすることで、ディスク表面のゴミや傷が記録再生信号に与える影響は大きくなるので、信号処理でその影響を低減する必要がある。
【００２１】
そこで、上記ＤＶＤ−ＲのＥＣＣブロックを、例えば１６のレコーディングセクタ単位から３２のレコーディングセクタ単位にして、エラー訂正範囲を大きくすることが考えられる。このようにすると、見かけ上、２倍のバーストエラーに対応できることになる。
【００２２】
しかしながら、同時にランドプリピット２０３で表現すべきデータのうち、セクタアドレスも１６から３２に増えるため、セクタアドレスを表現するためのランドプリピット２０３は１ビット分多く必要になる。
【００２３】
しかし、セクタそのものの長さは変わらないので、セクタ毎のランドプリピット２０３によるランドプリピットデータ数も一定であり、セクタアドレスを表現するランドプリピット２０３のビット数が足りなくなる。
【００２４】
そこで、上記した▲１▼〜▲４▼項に記載の問題点を解決できる光ディスク及び光ディスク記録再生方法並び光ディスク記録再生装置が望まれている。
【００２５】
【課題を解決するための手段】
本発明は上記課題に鑑みてなされたものであり、請求項１記載の発明は、片側又は両側がウォブル（蛇行）されて情報信号を記録又は再生するグルーブと、隣り合う前記グルーブ間に位置したランドとによる対がディスク基板上で際内周から最外周に亘って螺旋状又は同心円状に形成され、且つ、前記ディスク基板の半径方向に分割された複数のゾーンの各ゾーン内で前記ウォブルが同位相に形成され、更に、前記グルーブが偶数個のセクタからなる記録ブロック単位（ＥＣＣ単位）で構成され、且つ、各セクタが偶数個の同期フレームにより構成されているのに対応して、前記ランド上には前記グルーブに記録する前記情報信号への補助情報となる複数種のランドプリピットが前記各セクタ内で前記偶数個の同期フレームに対して所定の間隔ごとに予め配置された光ディスクであって、
前記複数種のランドプリピットは、前記偶数個のセクタのうちで前半のセクタと後半のセクタとに分けて前記各セクタの同期信号を表す第１，第２のランドプリピット部と、データ“０”，“１”を表す第３，第４のランドプリピット部とからなり、各ランドプリピット部はそれぞれ３ビットのビット列で表され、且つ、前記各ランドプリピット部の先頭ビットは必ず“１”で表された状態で、一つの前記グルーブに対して一方側の前記ランド上に形成した前記各ランドプリピット部は一つのセクタ中の奇数番目の同期フレームに対応して配置され、且つ、一つの前記グルーブに対して他方側の前記ランド上に形成した前記各ランドプリピット部は前記一つのセクタ中の偶数番目の同期フレームに対応して配置されていることを特徴とする光ディスクである。
また、請求項２記載の発明は、片側又は両側がウォブル（蛇行）されて情報信号を記録又は再生するグルーブと、隣り合う前記グルーブ間に位置したランドとによる対がディスク基板上で際内周から最外周に亘って螺旋状又は同心円状に形成され、且つ、前記ディスク基板の半径方向に分割された複数のゾーンの各ゾーン内で前記ウォブルが同位相に形成され、更に、前記グルーブが偶数個のセクタからなる記録ブロック単位（ＥＣＣ単位）で構成され、且つ、各セクタが偶数個の同期フレームにより構成されているのに対応して、前記ランド上には前記グルーブに記録する前記情報信号への補助情報となる複数種のランドプリピットが前記各セクタ内で前記偶数個の同期フレームに対して所定の間隔ごとに予め配置された光ディスクであって、
前記複数種のランドプリピットは、前記偶数個のセクタのうちで奇数番目のセクタと偶数番目のセクタとに分けて前記各セクタの同期信号を表す第１，第２のランドプリピット部と、データ“０”，“１”を表す第３，第４のランドプリピット部とからなり、各ランドプリピット部はそれぞれ３ビットのビット列で表され、且つ、前記各ランドプリピット部の先頭ビットは必ず“１”で表された状態で、一つの前記グルーブに対して一方側の前記ランド上に形成した前記各ランドプリピット部は一つのセクタ中の奇数番目の同期フレームに対応して配置され、且つ、一つの前記グルーブに対して他方側の前記ランド上に形成した前記各ランドプリピット部は前記一つのセクタ中の偶数番目の同期フレームに対応して配置されていることを特徴とする光ディスクである。
【００２６】
また、請求項３記載の発明は、請求項１又は請求項２記載の光ディスクを、各ゾーン毎には線速度が略一定に切り換えられ、且つ、各ゾーン内では角速度が一定に制御されて記録再生する光ディスク記録再生方法であって、
前記光ディスクを光ピックアップで再生した再生信号から前記複数種のランドプリピットを検出して複数種のランドプリピット信号を出力するランドプリピット検出ステップと、
前記ランドプリピット検出ステップから出力された前記複数種のランドプリピット信号を復号して前記各セクタの同期情報とアドレス情報とを生成して出力するランドプリピット復号ステップと、
前記ランドプリピット復号ステップから出力された前記各セクタの前記同期情報と前記アドレス情報とに基づいて、前記記録ブロック単位で構成された前記グルーブに前記情報信号を記録する記録条件を設定する制御ステップと、
前記制御ステップで設定された前記記録条件に基づいて、前記情報信号を前記グルーブに記録する記録ステップと、
を有することを特徴とする光ディスクの記録再生方法である。
【００２７】
また、請求項４記載の発明は、請求項１又は請求項２記載の光ディスクを、各ゾーン毎には線速度が略一定に切り換えられ、且つ、各ゾーン内では角速度が一定に制御されて記録再生する光ディスク記録再生装置であって、
前記光ディスクを光ピックアップで再生した再生信号から前記複数種のランドプリピットを検出して複数種のランドプリピット信号を出力するランドプリピット検出手段と、
前記ランドプリピット検出手段から出力された前記複数種のランドプリピット信号を復号して前記各セクタの同期情報とアドレス情報とを生成して出力するランドプリピット復号手段と、
前記ランドプリピット復号手段から出力された前記各セクタの前記同期情報と前記アドレス情報とに基づいて、前記記録ブロック単位で構成された前記グルーブに前記情報信号を記録する記録条件を設定する制御手段と、
前記制御手段で設定された前記記録条件に基づいて、前記情報信号を前記グルーブに記録する記録手段と、
を具備したことを特徴とする光ディスクの記録再生装置である。
【００２８】
【発明の実施の形態】
以下に本発明に係る光ディスク及び光ディスク記録再生方法並びに光ディスク記録再生装置の一実施例を図１乃至図１１を参照して＜光ディスク＞，＜光ディスク記録再生方法及び光ディスク記録再生装置＞の順に詳細に説明する。
【００２９】
＜光ディスク＞
図１は本発明に係る光ディスクを説明するための斜視図、
図２は本発明に係る光ディスクにおいて、ゾーンの構成を示した平面図、
図３は本発明に係る光ディスクにおいて、ウォブルしたグルーブのウォブル周期を内周側と外周側に分けて模式的に示した図である。
【００３０】
図１に示した如く、本発明に係る光ディスク１は、厚さが例えば略０．６ｍｍ程度の透明なディスク基板２を円盤状に形成し、このディスク基板２の一方の面側にウォブル（蛇行）したグルーブ３と、隣り合うグルーブ３間に位置するランド４とを対にしたトラックが、ディスク基板２上で最内周から最外周に亘って螺旋状又は同心円状に形成され、且つ、ランド４上にはグルーブ３に記録する情報信号への補助情報がランドプリピット５として予め形成されている。
【００３１】
尚、グルーブ３及びランド４の形状は、一般的にグルーブ３が凹状に形成され、ランド４は凸状に形成されているものの、ビームスポットＢを照射する面が反転すれば両者の凹凸関係が逆転するために、グルーブ３及びランド４の凹凸形状は、いずれか一方を凹状に形成し、他方を凸状に形成すれば良いものである。
【００３２】
更に、後述するように、所定数のランドプリピット５に対応して情報信号への記録ブロック単位（ＥＣＣブロック）が割り当てられている。
【００３３】
この際、グルーブ３は情報信号を記録するための記録用トラックとなっており、一方、ランド４上に形成したランドプリピット５は補助情報としてアドレス情報，訂正用パリティなどがピット形態で予め記録されている。
【００３４】
また、グルーブ３及びランド４上には、相変化材料を用いた相変化記録層６と、Ａｌ（アルミニュウム），Ａｕ（金）などを用いた金属反射層７と、保護層８とが順次形成され、更に、保護層８側に厚さが略０．６ｍｍ程度の補強基板９を接着材を用いて貼り合わせて、合計厚さが１．２ｍｍの光ディスク１が形成されている。
【００３５】
従って、グルーブ３上に成膜した相変化記録層６により情報信号の重ね書き，情報信号の追記が可能となり、ＤＶＤ−ＲＷ（ＤＶＤ−Ｒｅｗｒｉｔｅａｂｌｅ）に適用可能に構成されている。
【００３６】
そして、透明なディスク基板２の他方の面側から一つのグルーブ３と、このグルーブ３の両側に隣接するランド４，４とにビームスポットＢを照射して、ビームスポットＢがディスク基板２，相変化記録層６を通って金属反射層７で反射された戻りの反射光を、後述する光ディスク記録再生装置２０（図９）内に設けた４分割型のホト・ディテクタ２８（図９，図１０）を用いてプッシュプル法により再生信号を検出している。
【００３７】
尚、光ディスク１へのさらなる記録密度の向上のために情報信号読取り側に位置するディスク基板の厚みを薄くする必要が生じた場合には、図示を省略するものの、厚さが０．５ｍｍ〜１．１ｍｍ程度の厚いディスク基板２にグルーブ３とランド４とを対にしたトラックを螺旋状又は同心円状に形成し、これらのグルーブ３及びランド４上に金属反射層７，相変化記録層６を順に成膜した後、相変化記録層６側に厚さが０．１ｍｍ〜０．２ｍｍ程度の薄い透明フィルムを透明接着材で接着し、この薄い透明フィルム側からビームスポットＢを照射するように光ディスク１を形成する方法もある。
【００３８】
また、図２に示した如く、本発明に係る光ディスク１は、情報信号を記録する記録領域が光ディスク１の半径方向に沿ってディスク基板２の中心孔２ａを中心として同心円状に複数のゾーンに分割されれている。この際、一例として、光ディスク１の直径を１２ｃｍに形成し、且つ、記録領域をゾーン０からゾーンＮ−１までＮ個に分割した場合にゾーン数Ｎは例えば８３であり、且つ、各ゾーン内は例えば１０２４本のトラックで構成されている。
【００３９】
また、光ディスク１への回転制御方式は、ゾーン０からゾーンＮ−１まで各ゾーンごとに光ディスク１の回転数を順次段階的に切り換えて略線速度一定に回転制御されるＺＣＬＶ（Ｚｏｎｅ  Ｃｏｎｓｔａｎｔ  Ｌｉｎｅａｒ  Ｖｅｌｏｃｉｔｙ）方式が採用されると共に、各ゾーン内はＺＣＬＶにより各ゾーンごと設定された一定の回転数で常に角速度一定に回転制御されるＺＣＡＶ（Ｚｏｎｅ  Ｃｏｎｓｔａｎｔ  Ａｎｇｕｌａｒ  Ｖｅｌｏｃｉｔｙ）方式が採用されている。
【００４０】
上記した光ディスク１への回転制御方式に伴って、図３に示した如く、ＺＣＬＶ方式によりゾーンごとに光ディスク１の回転数を順次段階的に切り換えているため、内周側の回転数は高く、外周側の回転数は低いので、グルーブ３のウォブル周期は内周側で低く、外周側で高くなっている。
【００４１】
更に、各ゾーン内ではＺＣＡＶ方式により一定の回転数で回転することで、１０２４本のグルーブ３はウォブルの位相が全て同一の位相に形成されているので、各ゾーン内で隣り合うグルーブ３が互いに逆位相なるなどの現象が生じないため、グルーブ３の間隔が狭くなることにより生じる隣接トラックからのクロストークも発生しない。
【００４２】
次に、光ディスク１上で適宜な一つのゾーン内において、ランド４上に形成したランドプリピット５を中心に図４乃至図８を用いて説明する。
【００４３】
図４は本発明に係る光ディスクにおいて、ランド上に形成したランドプリピットを説明するための図であり、（ａ）はランドプリピットの形状を模式的に示した図であり、（ｂ）はランドプリピットを検出した時のランドプリピット信号の波形を示した図、
図５はグルーブの同期フレーム内の信号形態を示した図、
図６はランド上に形成したランドプリピットの種類を説明するための図、
図７は一つのセクタに対応して設けた複数のランドプリピットを示した図、
図８（ａ）は一つのＥＣＣブロック中の一つのセクタのランドプリピットを示し、（ｂ）は一つのＥＣＣブロックと対応するランドプリピットブロックを示した図である。
【００４４】
図４（ａ）に示した如く、光ディスク１上で適宜な一つのゾーン内では、複数のグルーブ３が全て同一の位相でディスク円周方向に沿ってウォブルされており、且つ、グルーブ３の一つの同期フレーム周期は例えば３ウォブル周期に設定されている。尚、図４（ａ）に示したグルーブ３は、両側共にウォブルされているが、これに限らず、グルーブ３の片側のみをウォブルさせても良い。
【００４５】
そして、グルーブ３の一つの同期フレーム周期と対応する一つの同期フレーム内には、図５に示したように、同期信号ＳＹと、情報信号Ｄとが記録される。
【００４６】
また、グルーブ３に記録される情報信号のデータフォーマットは、先に従来例のＤＶＤ−Ｒで説明したと同様に２６個の同期フレーム（シンクフレームで）で一つのセクタ（レコーディングセクタ）が構成されているものの、この実施例では一つのＥＣＣ（Ｅｒｒｏｒ  Ｃｏｒｒｅｃｔｉｎｇ  Ｃｏｄｅ）ブロックがＤＶＤ−Ｒの２倍の３２セクタで構成されている。
【００４７】
図４（ａ）に戻り、グルーブ３間のランド４上に形成したランドプリピット５は、グルーブ３のウォブル周期，同期フレーム周期と対応して設けられている。
【００４８】
より具体的には、ランドプリピット５は、グルーブ３の一つの同期フレーム周期に対して所定の間隔として一つおきに設けられ、且つ、各ランドプリピット５は、ウォブル周期，同期フレーム周期に対して所定の位置に設けられており、更に、一つのグルーブ３の両側に位置するランド４，４上に形成したランドプリピット５，５は、上記した所定の間隔を保ちつつ位置をずらして両者が重なり合わないように設けられている。
【００４９】
即ち、一つのグルーブ３に対して一方側のランド４上に形成したランドプリピット５は奇数番目の同期フレームに対応して設けられ、且つ、他方側のランド４上に形成したランドプリピット５は偶数番目の同期フレームに対応して設けられているので、ランドプリピット５，５同士が一つのグルーブ３の両側で重なり合うことがない。
【００５０】
また、ランドプリピット５は、図６に示したように、３ビット（ｂ２，ｂ１，ｂ０）を用いた組み合わせにより４種類のコードデータが設定されており、３ビット（ｂ２，ｂ１，ｂ０）の配列は連続した３つのウォブル中でウォブル周期に同期した各ウォブルの所定位置に合計で３か所設定されている。
【００５１】
この際、ランドプリピット５の３ビット（ｂ２，ｂ１，ｂ０）の配列は、プリピット同期信号１が（１，１，１）に、プリピット同期信号２は（１，１，０）に、プリピットデータは（１，０，１）に、プリピットデータ＝０は（１，０，０）に設定されている。
【００５２】
従って、各ランドプリピット５は、４種類のうちのいずれか１つが必ず付与されていると共に、４種類のランドプリピット５はビットｂ２が共通して“１”に設定されており、プリピット同期信号１及びプリピット同期信号２についてはビットｂ１が共に“１”であることにより同期情報であるとして認識され、更に、ビットｂ０が“１”か“０”かを認識することにより１ビットのデータとして扱うことができる。
【００５３】
これに伴って、前述したように、一つのセクタは２６個の同期フレームで構成されているため、同期フレームの同期フレーム周期に対して一つおきに設けたランドプリピット５は一つのセクタと対応して１３個設けられており、図７に示したように配置されている。
【００５４】
また、図８（ａ）に示した如く、一つのＥＣＣブロックは３２セクタで構成されており、各セクタと対応して設けた１３個のランドプリピット５は、１個のプリピット同期信号（１又は２）と、１２個のプリピットデータ（１２ビット）とで構成されている。
【００５５】
更に、図８（ｂ）に示したランドプリピットブロックは、図８（ａ）に示した一つのセクタ内に設けたランドプリピット５を、３２セクタ分まとめて一つのＥＣＣブロックと対応させたものである。
【００５６】
ここで、１セクタ分のランドプリピットに記録する内容は、プリピット同期信号と、ブロック内の相対セクタアドレス、およびＥＣＣブロックアドレスやゾーン番号等のディスクインフォメーションである。この際、ディスクインフォメーションは８ビットを割り当てているので、残る５ビットでプリピット同期信号と相対セクタアドレスを表示しなければならない。しかし、一つのＥＣＣブロック内の３２セクタのアドレスを表すには、５ビット全部必要である。そこで、プリピット同期信号を１ビット、相対セクタアドレスを４ビットとし、プリピット同期信号は前述したように２通りのプリピット同期信号１及びプリピット同期信号２のコードパターンを使用している。これにより、１ビットを用いた２種類のプリピット同期信号１，２による同期信号パターン情報と、プリピットデータ中の４ビットの相対アドレス情報とを組み合わせて合計で５ビットからなる組み合わせアドレス情報を得て、この組み合わせアドレス情報により一つのＥＣＣブロックを構成する３２セクタ分のアドレス情報を得ることができる。言い換えると、１ビットを用いた２種類のプリピット同期信号１，２による同期信号パターン情報でプリピットデータ中の相対アドレス情報の一部を兼ねることで、ＥＣＣブロック内のアドレス情報量を増大させることができる。
【００５７】
更に、２通りのプリピット同期信号１及びプリピット同期信号２は、相対セクタアドレスの最上位ビットとして用いており、且つ、一つのＥＣＣブロック中でプリピット同期信号１が前半の１６セクタの同期コードとし、プリピット同期信号２が後半の１６セクタの同期コードとなっているが、これに限定されることなく、例えば、奇数番目のセクタにプリピット同期信号１を、偶数番目のセクタにプリピット同期信号２を割り当てるなども可能である。
【００５８】
また、図８（ｂ）のような例に限らず、本発明によれば、ランドプリピット５中のプリピット同期信号をアドレス情報と兼用するため、ｎ個の同期信号パターン情報を有するプリピット同期信号と、プリピットデータ中のｍビットのアドレスビットとを組み合わせた組み合わせアドレス情報により、従来では２ｍセクタ分しか表せないところが、ｎ×２ｍセクタの相対アドレスが表すことができ、一つのＥＣＣブロック中にセクタ数が多い場合でも光ディスク記録再生装置２０（図９）によって適切な記録が行えると共にＥＣＣブロックあたりのセクタ数を増やしてエラー訂正能力を向上させることが可能であり、高密度で、より高精度の光ディスク１が得られる。
【００５９】
そして、一つのグルーブ３の両側に位置するランド４，４上にそれぞれ形成したランドプリピット５，５を４分割型のホト・ディテクタ２８（図９，図１０）を用いてプッシュプル法により再生信号中から検出したランドプリピット信号は、図４（ｂ）に示したように、同期フレーム周期ごとに極性が正逆に再生される。この際、プッシュプル法によるランドプリピット信号の検出は、一方のランド４側の検出出力から他方のランド４側の検出出力を引き算することで、互い違いに正逆の値が得られる。
【００６０】
＜光ディスク記録再生方法及び光ディスク記録再生装置＞
図９は本発明に係る光ディスクを適用する光ディスク記録再生装置を示した構成図、図１０は本発明に係る光ディスク上に照射したビームスポットによる光ディスクからの反射光を４分割型のホト・ディテクタで検出する状態を模式的に示した図、
図１１は図９に示したランドプリピット復号回路の動作を説明するための図である。
【００６１】
図９に示した本発明に係る光ディスク記録再生装置２０は、先に説明した本発明に係る光ディスク１を用いて情報信号を記録及び／又は再生可能に構成されている。
【００６２】
上記した光ディスク記録再生装置２０は、内部に設けたシステムコントローラ２１によって装置全体の制御が行われていると共に、このシステムコントローラ２１は光ディスク１への記録時に後述するランドプリピット復号回路３２から出力された各種の情報により光ディスク１への記録条件を設定している制御手段でもある。
【００６３】
また、信号処理回路２２は、光ディスク１に情報信号を記録するための記録用情報信号を処理し、且つ、光ディスク１から再生した再生用情報信号を処理するためのものであり、これらの記録用情報信号及び再生用情報信号は一時的にメモリ２３に記憶され、光ディスク１への記録及び／又は再生時にメモリ２３から適時読み出されている。
【００６４】
また、システムコントローラ２１から光ディスク１のゾーン情報がスピンドルモータ制御・駆動回路２４に入力されている。また、スピンドルモータ制御・駆動回路２４には、後述するウォブル周波数位相同期回路３４から出力されたウォブル周波数及びウォブル位相情報も入力されている。そして、スピンドルモータ制御・駆動回路２４からの指令によって、スピンドルモータ２５を介して光ディスク１を回転させている。この際、スピンドルモータ制御・駆動回路２４は、システムコントローラ２１からのゾーン情報により、前述したように、光ディスク１内の各ゾーンごとにＺＣＬＶにより光ディスク１の回転数を順次段階的に切り換えて略線速度一定に回転制御すると共に、各ゾーン内ではＺＣＡＶにより各ゾーンに対応して設定された回転数で角速度一定に回転制御している。
【００６５】
また、光ディスク１と対向して光ピックアップ２６が光ディスク１の半径方向に移動自在に設けられている。上記した光ピックアップ２６には、不図示の対物レンズからビームスポットＢ（図１）を光ディスク１上に照射するためにレーザビームを出力するＬＤ駆動回路２７と、光ディスク１に照射したビームスポットＢが光ディスク１で反射された戻りの反射光を検出するために４分割型のホト・ディテクタ２８とが内蔵されている。
【００６６】
まず、光ディスク１への記録時には、映像信号や音声信号などの情報信号が不図示の情報信号符号化器によって符号化されて、上記した信号処理回路２２によって所定の伝送路符号化が行われると共に、誤り訂正符号の付加や同期信号の付加などの記録フォーマット化がなされて、メモリ２３に一時的に記憶されている。
【００６７】
一方、先に図１を用いて説明したように、光ディスク１に照射されたビームスポットＢは、ディスク基板２，相変化記録層６を通って金属反射層７で反射され、この金属反射層７で反射された戻りの反射光が４分割型のホト・ディテクタ２８に入力され、この４分割型のホト・ディテクタ２８で反射光を光電気変換した後、ホト・ディテクタ２８からの出力を増幅器２９によって所定の増幅を行い、更に、増幅器２９からの出力信号（再生信号）を記録再生制御回路３０と、ランドプリピット検出回路３１と、ウォブル検出回路３３とに供給している。
【００６８】
ここで、記録再生制御回路３０と、ランドプリピット検出回路３１と、ウォブル検出回路３３とに供給される再生信号は、４分割型のホト・ディテクタ２８から出力される信号と略等価であり、図１０を用いて簡略に説明する。
【００６９】
図１０に示した状態は、４分割型のホト・ディテクタ２８が光ディスク１上でウォブルされたグルーブ３の略中央に位置し、且つ、このホト・ディテクタ２８で図示右側のランド４上のランドプリピット５を検出している状態を模式的に示している。
【００７０】
上記した４分割型のホト・ディテクタ２８は略矩形状に形成されており、光ディスク１の半径方向に沿った直線とトラック方向に沿った直線とで全受光領域が４等分割されているものの、このホト・ディテクタ２８上に結像したビームスポットＢは光ディスク１の外周側（又は内周側）の２つの受光領域Ａ及び受光領域Ｂの組みと、内周側（又は外周側）の２つの受光領域Ｃ及び受光領域Ｄの組みとで２つの組みを形成しているので、光ディスク１の記録トラック方向に沿った直線に対して２分割した状態となる。尚、ホト・ディテクタ２８で検出する信号は、ビームスポットによる回折現象などの影響を考慮しているがここでは概念的に説明する。
【００７１】
上記した４分割型のホト・ディテクタ２８からの受光出力と略等価な再生信号は、受光領域Ａ，Ｂ，Ｃ，Ｄの全ての領域から出力された値であり、これらの各受光領域の値を加減算可能に出力されている。
【００７２】
図９に戻り、記録再生制御回路３０では、増幅器２９からの再生信号を用いて、ホト・ディテクタ２８の全ての受光領域Ａ〜Ｄからの受光量を加算して（Ａ＋Ｂ＋Ｃ＋Ｄ）信号を得るようになっており、この（Ａ＋Ｂ＋Ｃ＋Ｄ）信号は光ディスク１への記録時には必要なく、光ディスク１からの再生時に再生情報信号として得られる。
【００７３】
また、ウォブル検出回路３３は、光ディスク１上に形成したグルーブ３のウォブルを検出するものであり、ここでは増幅器２９からの再生信号を用いて、ホト・ディテクタ２８の受光領域Ａ，Ｂの加算値から受光領域Ｃ，Ｄの加算値を減算して｛（Ａ＋Ｂ）−（Ｃ＋Ｄ）｝信号を得て、この｛（Ａ＋Ｂ）−（Ｃ＋Ｄ）｝信号を不図示のバンドパスフィルタを通してランドプリピット５の影響を除去することでウォブル信号を得て、このウォブル信号をランドプリピット検出回路３１と、ウォブル周波数位相同期回路３４とにそれぞれ出力している。
【００７４】
また、ウォブル周波数位相同期回路３４は、入力されたウォブル検出回路３３からのウォブル信号と、下記するランドプリピット検出回路３１からのランドプリピット位相とを用いて、光ディスク１への記録時の記録周波数（記録クロック）及び記録位相情報を生成するための信号の検出がなされて、これらの信号を記録再生制御回路３０に出力すると共に、スピンドルモータ制御・駆動回路２４にも供給して光ディスク１が所定の回転数になるようスピンドルモータ２５の制御が行われている。
【００７５】
また、ランドプリピット検出回路３１は、光ディスク１上に形成したランド４上のランドプリピット５を検出するものであり、ここでは増幅器２９からの再生信号を用いて、ホト・ディテクタ２８の受光領域Ａ，Ｂの加算値から受光領域Ｃ，Ｄの加算値を減算して｛（Ａ＋Ｂ）−（Ｃ＋Ｄ）｝信号を得て、この｛（Ａ＋Ｂ）−（Ｃ＋Ｄ）｝信号をウォブル信号の振幅値よりも大きな所定値でスライスすることでランドプリピット信号を得て、このランドプリピット信号をランドプリピット復号回路３２に出力している。また、ランドプリピット検出回路３１は、ここで得られたランドプリピット信号のランドプリピット位相をウォブル周波数位相同期回路３４に出力している。
【００７６】
また、ランドプリピット復号回路３２では、図１１に示した如く、ランドプリピット検出回路３１で検出したランドプリピット信号からプリピット同期信号１（ＳＹＮＣ１）及びプリピット同期信号２（ＳＹＮＣ２）と、プリピットデータ＝１及びプリピットデータ＝０とを復号している。
【００７７】
この際、ランドプリピットブロックにおいて、プリピット同期信号１（ＳＹＮＣ１）は一つのＥＣＣブロックと対応する前半の１６セクタの同期コードであり、一方、プリピット同期信号２（ＳＹＮＣ２）は後半の１６セクタの同期コードである。
【００７８】
また、１２ビットのプリピットデータのうち４ビットで１６通りの相対アドレス情報を、残りの８ビットでＥＣＣブロックアドレスとか、訂正用パリティとか、記録条件などの補助情報を得ている。
【００７９】
更に、前述したように、１ビットを用いた２種類のプリピット同期信号１，２による同期信号パターン情報と、プリピットデータ中の４ビットの相対アドレス情報とを組み合わせて合計で５ビットからなる組み合わせアドレス情報を得て、この組み合わせアドレス情報により一つのＥＣＣブロックを構成する３２セクタ分のアドレス情報を得ている。
【００８０】
そして、ランドプリピット復号回路３２で得られた各情報をシステムコントローラ２１に伝えている。
【００８１】
これに基づいてシステムコントローラ２１は、得られたゾーン番号やアドレス情報あるいは記録制御情報を基にビームスポットＢ（図１）への記録パワー、記録用ピットの形状を決めるためのパルスストラテジなどの記録条件を設定して、記録再生制御回路３０に伝達し、この記録条件と共にメモリ２３に蓄えられた情報信号をパルス変調して記録データをＬＤ駆動回路２７に送り、ＬＤ駆動回路２７は入力される記録データに応じて最適なレーザーパワー、記録ストラテジで光パルスを光ディスク上のグルーブ３に照射して情報信号を記録している。この際、メモリ２３の制御はシステムコントローラ２１で行っている。
【００８２】
次に、光ディスク１からの再生時には、記録時と同様に、ホト・ディテクタ２８で光ディスク１からの反射光を光電気変換し、増幅器２９によって所定の増幅を行い、増幅器２９からの再生信号が記録再生制御回路３０，ランドプリピット検出回路３１，ウォブル検出回路３３にそれぞれ加えられる。また、記録再生制御回路３０は、増幅器２９からの再生信号を用いて、ホト・ディテクタ２８の全ての受光領域Ａ〜Ｄからの受光量を加算して（Ａ＋Ｂ＋Ｃ＋Ｄ）信号からなる再生情報信号を得て、この再生情報信号をメモリ２３に一時的に書き込み、更に、メモリ２３から再生情報信号を適宜読み出して信号処理回路２２に再生データとして送出し、所定の処理が加えられて最終的に再生情報信号が出力されている。
【００８３】
【発明の効果】
以上詳述したように、請求項１記載の光ディスクによると、とくに、複数種のランドプリピットは、偶数個のセクタのうちで前半のセクタと後半のセクタとに分けて各セクタの同期信号を表す第１，第２のランドプリピット部と、データ“０”，“１”を表す第３，第４のランドプリピット部とからなり、各ランドプリピット部はそれぞれ３ビットのビット列で表され、且つ、各ランドプリピット部の先頭ビットは必ず“１”で表された状態で、一つのグルーブに対して一方側のランド上に形成した各ランドプリピット部は一つのセクタ中の奇数番目の同期フレームに対応して配置され、且つ、一つのグルーブに対して他方側のランド上に形成した各ランドプリピット部は一つのセクタ中の偶数番目の同期フレームに対応して配置されているので、一つのグルーブの両側に位置する各ランドに形成した各ランドプリピット部は互いに重なり合うことがなく、且つ、各ランドプリピット部の先頭ビットにより一つのセクタ中の偶数個の同期フレームの同期を検出することができるために、この光ディスクを用いたときに複数種のランドプリピットを確実且つ迅速に検出することができる。
また、請求項２記載の光ディスクによると、とくに、複数種のランドプリピットは、偶数個のセクタのうちで奇数番目のセクタと偶数番目のセクタとに分けて各セクタの同期信号を表す第１，第２のランドプリピット部と、データ“０”，“１”を表す第３，第４のランドプリピット部とからなり、各ランドプリピット部はそれぞれ３ビットのビット列で表され、且つ、各ランドプリピット部の先頭ビットは必ず“１”で表された状態で、一つのグルーブに対して一方側のランド上に形成した各ランドプリピット部は一つのセクタ中の奇数番目の同期フレームに対応して配置され、且つ、一つのグルーブに対して他方側のランド上に形成した各ランドプリピット部は一つのセクタ中の偶数番目の同期フレームに対応して配置されているので、請求項１記載と同様に、一つのグルーブの両側に位置する各ランドに形成した各ランドプリピット部は互いに重なり合うことがなく、且つ、各ランドプリピット部の先頭ビットにより一つのセクタ中の偶数個の同期フレームの同期を検出することができるために、この光ディスクを用いたときに複数種のランドプリピットを確実且つ迅速に検出することができる。
【００８４】
また、請求項３記載の光ディスク記録再生方法及び請求項４記載の光ディスク記録再生装置によると、上記した請求項１又は請求項２記載の光ディスクを用いているので、複数種のランドプリピットを確実且つ迅速に検出することで、信頼性の向上に寄与できる。
【図面の簡単な説明】
【図１】本発明に係る光ディスクを説明するための斜視図である。
【図２】本発明に係る光ディスクにおいて、ゾーンの構成を示した平面図である。
【図３】本発明に係る光ディスクにおいて、ウォブルしたグルーブのウォブル周期を内周側と外周側に分けて模式的に示した図である。
【図４】本発明に係る光ディスクにおいて、ランド上に形成したランドプリピットを説明するための図であり、（ａ）はランドプリピットの形状を模式的に示した図であり、（ｂ）はランドプリピットを検出した時のランドプリピット信号の波形を示した図である。
【図５】グルーブの同期フレーム内の信号形態を示した図である。
【図６】ランド上に形成したランドプリピットの種類を説明するための図である。
【図７】一つのセクタに対応して設けた複数のランドプリピットを示した図である。
【図８】（ａ）は一つのＥＣＣブロック中の一つのセクタのランドプリピットを示し、（ｂ）は一つのＥＣＣブロックと対応するランドプリピットブロックを示した図である。
【図９】本発明に係る光ディスクを適用する光ディスク記録再生装置を示した構成図である。
【図１０】本発明に係る光ディスク上に照射したビームスポットによる光ディスクからの反射光を４分割型のホト・ディテクタで検出する状態を模式的に示した図である。
【図１１】図９に示したランドプリピット復号回路の動作を説明するための図である。
【図１２】従来の光ディスクの一例を説明するための図である。
【図１３】従来の光ディスクの他例を説明するための図である。
【図１４】従来の光ディスクにおいて、（ａ）はウォブルしたグルーブのウォブル位相が逆の位相を持つ箇所を模式的に示し、（ｂ）は一つのグルーブの両側に隣接するランド上に形成したランドプリピット同士が重なり合う箇所を模式的に示した図である。
【符号の説明】
１…光ディスク、２…ディスク基板、
３…グルーブ、４…ランド、５…ランドプリピット、
６…相変化記録層、７…金属反射層、
２０…光ディスク記録再生装置、
２１…システムコントローラ、２２…信号処理回路、２３…メモリ、
２４…スピンドルモータ制御・駆動回路、２５…スピンドルモータ、
２６…光ピックアップ、２７…ＬＤ駆動回路、２８…ホト・ディテクタ、
２９…増幅器、３０…記録再生制御回路、
３１…ランドプリピット検出回路、３２…ランドプリピット復号回路、
３３…ウォブル検出回路、
３４…ウォブル周波数位相同期回路、
Ｂ…ビームスポット。
【図１】
0003931558.tif 000002
【図２】
0003931558.tif 000003
【図３】
0003931558.tif 000004
【図４】
0003931558.tif 000005
【図５】
0003931558.tif 000006
【図６】
0003931558.tif 000007
【図７】
0003931558.tif 000008
【図８】
0003931558.tif 000009
【図９】
0003931558.tif 000010
【図１０】
0003931558.tif 000011
【図１１】
0003931558.tif 000012
【図１２】
0003931558.tif 000013
【図１３】
0003931558.tif 000014
【図１４】
0003931558.tif 000015